(57)【要約】【課題】  安定した負荷の最低作動電圧を供給することができる電源回路を提供する。【解決手段】  電源回路１は、一方端がバッテリ２の正端子に接続された抵抗Ｒ１と、一方端が抵抗Ｒ１の他方端に接続され、他方端が接地端子と接続されたツェナーダイオードＺＤと、ベース端子が抵抗Ｒ１の他方端及びツェナーダイオードＺＤの一方端に接続され、エミッタ端子がダイオードＤのカソード及び抵抗Ｒ２の一方端に接続されたｎｐｎトランジスタＴＲ１と、コレクタ端子がバッテリ２の正端子に接続され、ベース端子がｎｐｎトランジスタＴＲ１のコレクタ端子に接続され、エミッタ端子がダイオードＤのアノードに接続されたｐｎｐトランジスタＴＲ２と、ｐｎｐトランジスタＴＲ２のエミッタ端子及びダイオードＤのアノードに接続された電源ＩＣ３とを備える。【選択図】      図１
2005258596.tif 000002
【特許請求の範囲】
【請求項１】
一方端がバッテリの正端子に接続された第１の抵抗と、
一方端が前記第１の抵抗の他方端に接続され、他方端が接地端子と接続されたツェナーダイオードと、
ベース端子が前記第１の抵抗の他方端及びツェナーダイオードの一方端に接続されたｎｐｎトランジスタと、
一方端が前記ｎｐｎトランジスタのエミッタ端子に接続され、他方端が接地端子に接続された第２の抵抗と、
カソード端子が前記ｎｐｎトランジスタのエミッタ端子に接続されたダイオードと、
エミッタ端子がバッテリの正端子に接続され、ベース端子がｎｐｎトランジスタのコレクタ端子に接続され、コレクタ端子が前記ダイオードのアノードに接続されたｐｎｐトランジスタと、
前記ｐｎｐトランジスタのコレクタ端子及び前記ダイオードのアノードに接続された電源ＩＣと
を備えることを特徴とする電源回路。
【発明の詳細な説明】
【技術分野】
【０００１】
本発明は、バッテリからの電圧をドロップしてマイコンに供給して、マイコンを動作させる電源回路に関する。
【背景技術】
【０００２】
従来より、例えば２４Ｖの電源を使用して５Ｖで動作する負荷を駆動する場合、バッテリ電源を電圧降下させて５Ｖ電源に変換して負荷に供給する技術が、下記の特許文献１などにて知られている。
【０００３】
この特許文献１に記載された安定化電源回路では、非安定化電源からの電源を一定の電圧にするために、ツェナーダイオードに直列にダイオードを接続し、ダイオードとトランジスタとの温度特性が略同一であることを利用して安定化電源を実現している。
【０００４】
また、従来の電源回路としては、図２に示すように構成されたものが知られている。この電源回路は、バッテリ電圧ＶＢを発生させるバッテリ１０１に接続され、トランジスタＴＲ１のベース端子に抵抗Ｒ１及びツェナーダイオードＺＤを接続し、トランジスタＴＲ１のベース端子にツェナー電圧をバイアスすることで、ツェナー電圧に対し、トランジスタＴＲ１のベース−エミッタ間電圧だけ電圧降下した電圧を、電源ＩＣ１０２に供給する。ここで、トランジスタＴＲ２は、ＰＮＰトランジスタでありベース端子がトランジスタＴＲ１のエミッタ端子に接続され、エミッタ端子がバッテリ１０１に接続され、コレクタ端子がトランジスタＴＲ１のエミッタ端子及び電源ＩＣ１０２に接続されている。
【０００５】
【特許文献１】特開２０００−１０６４６号公報
【発明の開示】
【発明が解決しようとする課題】
【０００６】
上述した従来の技術では、トランジスタＴＲ１のエミッタ端子とトランジスタＴＲ２のコレクタ端子との接続点での電位（ＶＩＮ）は、バッテリ１０１の電源電圧から、抵抗Ｒ１での電圧降下分の電圧を減算した値、すなわちツェナーダイオードＺＤのツェナー電圧に、さらにトランジスタＴＲ１のベース−エミッタ間の降下電圧分を減算した値となる。ここで、負荷のマイコンの動作電圧が５Ｖであって例えばバッテリ電源電圧が２４Ｖであるとすると、ツェナーダイオードＺＤとトランジスタＴＲ１とでＶｉｎ＝１０ボルトの電圧を発生し、電源ＩＣ１０２で約５ボルトの低電圧を発生する。
【０００７】
この従来の技術では、バッテリ１０１の電圧が低下し、ツェナーダイオードＺＤがオン状態に維持されなくなると、低下したバッテリ電圧から、抵抗Ｒ１での降下電圧と、トランジスタＴＲ１のベースとエミッタ間の降下電圧を減算した値が電源ＩＣ１０２に供給されることになり、バッテリ１０１の電圧の低下に、さらにトランジスタＴＲ１のベースとエミッタ間の降下電圧だけオフセットした電圧が電源ＩＣ１０２に供給される。
【０００８】
そこで、本発明は、上述した実情に鑑みて提案されたものであり、安定した負荷の最低作動電圧を供給することができる電源回路を提供するものである。
【課題を解決するための手段】
【０００９】
本発明では、一方端がバッテリの正端子に接続された第１の抵抗と、一方端が前記第１の抵抗の他方端に接続され、他方端が接地端子と接続されたツェナーダイオードと、ベース端子が前記第１の抵抗の他方端及びツェナーダイオードの一方端に接続され、エミッタ端子がダイオードのカソード及び第２抵抗の一方端に接続されたｎｐｎトランジスタと、エミッタ端子がバッテリの正端子に接続され、ベース端子がｎｐｎトランジスタのコレクタ端子に接続され、コレクタ端子が前記ダイオードのアノードに接続されたｐｎｐトランジスタと、前記ｐｎｐトランジスタのコレクタ端子及び前記ダイオードのアノードに接続された電源ＩＣとを備えることで、上述の課題を解決する。
【発明の効果】
【００１０】
本発明に係る電源回路によれば、バッテリ２の電圧がツェナーダイオードのツェナー電圧以下の低電圧時において、バッテリと電源ＩＣ間の電圧降下を、ｐｎｐトランジスタのコレクタ−エミッタ間の電圧降下のみとすることができ、バッテリの電源が低くなっても、電源ＩＣからマイコンを作動させる電圧を印加することができ、安定した負荷の最低作動電圧を供給することができる。
【発明を実施するための最良の形態】
【００１１】
以下、本発明の実施の形態について図面を参照して説明する。
【実施例１】
【００１２】
本発明は、例えば図１に示すように構成された電源回路に適用される。
【００１３】
この電源回路１は、一方端がバッテリ２の正端子に接続された抵抗Ｒ１と、一方端が抵抗のＲ１他方端に接続され、他方端が接地端子と接続されたツェナーダイオードＺＤと、ベース端子が抵抗Ｒ１の他方端及びツェナーダイオードＺＤの一方端に接続され、エミッタ端子がダイオードＤのカソード及び抵抗Ｒ２の一方端に接続されたｎｐｎトランジスタＴＲ１と、エミッタ端子がバッテリ２の正端子に接続され、ベース端子がｎｐｎトランジスタＴＲ１のコレクタ端子に接続され、コレクタ端子がダイオードＤのアノードに接続されたｐｎｐトランジスタＴＲ２と、ｐｎｐトランジスタＴＲ２のエミッタ端子及びダイオードＤのアノードに接続された電源ＩＣ３とを備えて構成されている。
【００１４】
この電源回路１は、バッテリ２からの電源電圧を降下させて電源ＩＣ３に供給し、電源ＩＣ３によって例えばマイコンを動作させる作動電圧に変換して供給する。本例において、例えばバッテリ２は、２４Ｖバッテリからなり、マイコンは５Ｖで作動するものとする。そして、この電源回路１は、バッテリ電圧が印加されることにより、抵抗Ｒ１、ｎｐｎトランジスタＴＲ１、及び抵抗Ｒ２を介して電流が流れ、さらには、ｐｎｐトランジスタＴＲ２、ダイオードＤ及び抵抗Ｒ２を介して電流がながれる。これにより、電源回路１は、ｐｎｐトランジスタＴＲ２のコレクタ端子、ダイオードＤのアノード側及び電源ＩＣ３との接点における電位（ＶＩＮ）は、バッテリ電圧よりも電圧降下された状態で、電源ＩＣ３に供給されることになる。
【００１５】
ここで、この電源回路１は、ｎｐｎトランジスタＴＲ１のベース−エミッタ間の電圧降下分と、ダイオードＤの電圧降下分とが略同一となっており、ｐｎｐトランジスタＴＲ２を介して電源ＩＣ３に印加する電位（ＶＩＮ）を持ち上げている状態となっている。
【００１６】
具体的には、電源回路１は、バッテリ２のバッテリ電圧をＶＢとし、抵抗Ｒ１での電圧降下分をＶＲ１とし、ｎｐｎトランジスタＴＲ１のベース−エミッタ間電圧による電圧降下分をＶｂｅとし、ダイオードＤでの電圧降下分をＶＦとする。
【００１７】
この場合、ｐｎｐトランジスタＴＲ２のコレクタ端子、ダイオードＤのアノード側及び電源ＩＣ３との接点における電位（ＶＩＮ）は、下記の式に示すように、
ＶＢ−ＶＲ１−Ｖｂｅ＋ＶＦ
となるが、ダイオードＤの電圧降下分とｎｐｎトランジスタＴＲ１との電圧降下分とがうち消しあい、結果として、電源ＩＣ３に印加する電圧は、
ＶＢ−ＶＲ１
ということになる。
【００１８】
［実施形態の効果］
以上詳細に説明したように、本発明を適用した電源回路１によれば、バッテリ２の電圧がツェナーダイオードＺＤのツェナー電圧以下の低電圧時において、バッテリ２と電源ＩＣ３間の電圧降下を、ｐｎｐトランジスタＴＲ２のコレクタ−エミッタ間の電圧降下のみとすることができ、バッテリ２の電源が低くなっても、電源ＩＣ３からマイコンを作動させる電圧を印加することができ、安定した負荷の最低作動電圧を供給することができる。
【００１９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００２０】
【図１】本発明を適用した電源回路の構成を示す回路図である。
【図２】従来の電源回路の回路図である。
【符号の説明】
【００２１】
１  電源回路
２  バッテリ
３  電源ＩＣ
【図１】
2005258596.tif 000003
【図２】
2005258596.tif 000004